(57)【要約】【課題】コンパクトに構成され安価であって、マンションやコンビニエンスストアー、さらには一般の家庭において好適に使用できるプラスチックボトル等の押し潰し装置を提供する。【解決手段】相対配置されるとともに同軸回転される一対の押し潰し用プレート１２と、押し潰しプレート１２間を一方の回転角度においては開き、他方の回転角度においては閉じさせる押し潰しプレート１２の回転形態制御機構２２とを備えることを特徴とする押し潰し装置。【選択図】図３
2007190605.tif 000002
【特許請求の範囲】
【請求項１】
相対配置されるとともに同軸回転される一対の押し潰し用プレートと、
前記押し潰しプレート間を一方の回転角度においては開き、他方の回転角度においては閉じさせる押し潰しプレートの回転形態制御機構と、
を備えることを特徴とする押し潰し装置。
【発明の詳細な説明】
【技術分野】
【０００１】  この発明は、プラスチックボトル等の減容処理に用いる押し潰し装置に関する。
【背景技術】
【０００２】  プラスチックボトル等をリサイクル使用するには、使用済みのボトルを処理工場まで運搬するが、その際にはボトルの形態が小さい方、すなわち、減容されている方が一度に大量の運搬が可能で、また、その取り扱いも容易となる。したがって、最近ではプラスチックボトルが大量に排出されるマンションやコンビニエンスストアー等において、さらに、一般の家庭においても押し潰しにより減容することが薦められている。
【発明の開示】
【０００３】  しかしながら、現状のプラスチックボトル等の押し潰し装置は相対回転されるローラー間でボトルを押し潰すようになっており、２個のローラーを備えるので装置が大きくなる。、１０ｃｍ径程度のプラスチックボトルをその間に噛み込むには、かなり径の大きいローラーを用いなけらばならず、その結果装置が大きくなるとともに価格も高くなって、汎用性に乏しかった。
【発明が解決しようとする課題】
【０００４】  この発明では、コンパクトに構成され安価であって、マンションやコンビニエンスストアー、さらには一般の家庭において好適に使用できるプラスチックボトル等の押し潰し装置を提供することを目的とする。
【課題を解決するための手段】
【０００５】  この発明では、相対配置されるとともに同軸回転される一対の押し潰し用プレートと、前記押し潰しプレート間を一方の回転角度においては開き、他方の回転角度においては閉じさせる押し潰しプレートの回転形態制御機構とを備えることを特徴とする押し潰し装置を提供する。
【０００６】  上記構成の押し潰し装置によれば、一方の回転角度において開いている押し潰しプレート間に置かれたプラスチックボトル等は、押し潰しプレートの回転に伴う他方の回転角度におけるその間の閉じ動作により押し潰される。押し潰しを行う機構が２枚の相対配置される押し潰し用プレートにより構成されるので、従来のローラーによるものと同等もしくはそれ以上の押し潰し面広さを保ちながら、その立体形態は格段に小さく構成でき、これにより装置がコンパクトに構成される。
【０００７】  上記押し潰し用プレートの回転駆動手段としては、モータ、人力等の適宜手段が用いられる。また、上記押し潰し用プレートの押し潰し面には、プラスチックボトル等に食い込んで潰し機能を高める突起や突条を設けることが好ましく、突条とした場合はプラスチックボトルの角部を食い込みにより潰し、プラスチックボトルの弾力による膨らみ復元を防止する。
【発明の効果】
【０００８】  この発明によれば、コンパクトに構成され安価であって、マンションやコンビニエンスストアー、さらには一般の家庭において好適に使用できるプラスチックボトル等の押し潰し装置が得られ、これにより、プラスチックボトル等のリサイクル使用が促進されるようになる。
【発明を実施するための最良の形態】
【０００９】  図１はこの発明の押し潰し装置の外観斜視図、図２は内部構成図である。押し潰し装置１は外装ボックス２内の上部がプラスチックスボトルの押し潰し処理部３とされ、下部が回収部４とされている。外装ボックス１の上面にはプラスチックボトルの投入開口５を覆う折り畳み蓋６が取り付けられるとともに前側に操作部８が設けられ、前面下部には上記回収部４内に引き出し可能に納められる回収ボックス９の前板が位置し、底面には移動用キャスター１０のそれぞれか取り付けられている。【００１０】  上記押し潰し処理部３には、相対配置されるとともに同軸回転される一対の金属製の押し潰し用プレート１２と、それを駆動回転するモータ１４とが配置されている。押し潰し用プレート１２は、図３にも示すように、湾曲円盤形状で、凸側湾曲面１５にはプレス成形により多数の潰し用突起１３が形成され、その凸側湾曲面１５を互いに相対するようにしてモータ１４に連動する軸体１６に装着されている。軸体１６は中央位置に球形部１９を備え、その両側に中心位置に一体に設けられた軸受け部１７の球状湾曲面２０がその球形部１９面に合致するようにして押し潰し用プレート１２のそれぞれが取り付けられている。【００１１】  ２２のそれぞれは押し潰し用プレート１２それぞれを中央側に押し付けるコイルバネであり、２３のそれぞれはそれらの固定座である。押し潰し用プレート１２それぞれの下部の外面に相対する位置には、押し潰し用プレート１２の回転形態制御機構としての位置決めローラー２５のそれぞれが押し潰し用プレート１２面に接触回転するように設けられている。【００１２】  上記のような構成により、押し潰し用プレート１２それぞれはその軸受け部分において軸体１６側に圧接固定されていることでモータ１４の駆動に伴って軸体１６と一体に連動回転し、かつ、下部が位置決めローラー２５により両側から挟まれるように位置決めされていることで、回転に際して上方に位置する際には互いが離間してその間に投入開口５に連続する受けスペース３０を形成し、下方に位置する際には互いが近接してその間でプラスチックボトルを押し潰すように機能する。【００１３】  以下、上記押し潰し装置１の動作説明を行う。図１に示すように、折り畳み蓋６を開きプラスチックボトルＰを投入開口５に投入し操作部８でスタートスイッチを押すと、投入されたプラスチックボトルＰは投入開口５がロート状の溝形態となっていることで水平倒れ状態となって、押し潰し用プレート１２間の受けスペース３０内に落ち込む。押し潰し用プレート１２は矢印Ａ方向への回転に伴って互いの間が徐々に狭まることでそこにあるプラスチックボトルＰを潰し用突起１３を食い込ませながら押し潰し、プラスチックボトルＰが下方位置になった際に完全に押し潰す。さらに、回転が継続されることで押し潰し用プレート１２のプラスチックボトルＰを挟んでいた部分は徐々に離間し、これにより潰され扁平となったプラスチックボトルＰは押し潰し用プレート１２間から下方に落下して回収ボックス９内に収められる。複数個のプラスチックボトルＰが投入された場合には、上記の動作が連続して行なわれてその扁平体が順次回収ボックス９内に収められる。【００１４】  上記のようにして、投入開口５から投入するだけで回収ボックス９内にプラスチックボトルＰの押し潰された減容品が回収される。押し潰し動作は折り畳み蓋６が閉じられ状態において装置内部で行われるので、大きな騒音は発生せず、また、危険性もない。
【図面の簡単な説明】
【図１】この発明の押し潰し装置の実施形態の外観斜視図
【図２】この発明の押し潰し装置の実施形態の内部構成図
【図３】この発明の押し潰し装置の押し潰し機構部分の断面構成図
【符号の説明】
１  押し潰し装置
１２  押し潰し用プレート
２２  位置決め用ローラー（回転形態制御機構）
【図１】
2007190605.tif 000003
【図２】
2007190605.tif 000004
【図３】
2007190605.tif 000005